(57)【要約】【課題】大きな射出成型機の金型を必要とせずに、しかもストックする場合にも大きなスペースを必要としない充填材と、この充填材を充填した貯留施設を提供する。【解決手段】雨水等を貯留する貯留部内に積み重ねて充填する充填部材２１であって、平面視が長尺状の板部２２と、この板部２２の両端に設けた連結部２３とを備え、充填部材２１を井桁状に積み重ねて各連結部２３により連結する。【選択図】図８
2007262678.tif 000002
【特許請求の範囲】
【請求項１】
雨水等を貯留する貯留部内に積み重ねて充填する充填部材であって、
平面視が長尺状の板部と、この板部の両端に設けた連結部とを備え、該充填部材を井桁状に積み重ねて各連結部により連結することを特徴とする充填部材。
【請求項２】
前記板部の一側部に側方に突出した踏み板部を設けたことを特徴とする請求項１に記載の充填部材。
【請求項３】
前記踏み板部は、平面視がほぼ長方形に形成され、その両端に切欠が設けられていることを特徴とする請求項２に記載の充填材。
【請求項４】
前記板部の一側部に円弧状の凹部を形成したことを特徴とする請求項１に記載の充填材。
【請求項５】
雨水等を貯留するとともに底面に凹溝を形成した貯留部と、この貯留部内に充填材を充填する貯留施設であって、
雨水を貯留部内に導入する導入部から前記凹溝までの所定領域を集砂モジュールで構成し、この集砂モジュール外の領域を貯留モジュールで構成し、
前記集砂モジュールは、平面視がほぼ正方形且つ所定の方向に傾斜した板部と、この板部の四隅に設けられた連結部とを備えた充填部材を上下方向に積み重ねてその連結部により連結して構成し、
前記貯留モジュールは、請求項１または請求項４に記載の充填材を井桁状に積み重ねて構成したことを特徴とする貯留施設。
【発明の詳細な説明】
【技術分野】
【０００１】
この発明は、雨水などを貯留する貯留部内に積み重ねて充填する充填部材と、この充填材を貯留部内に充填した貯留施設とに関する。
【背景技術】
【０００２】
従来から、雨水などを貯留する貯留部内に積み重ねて充填する充填部材が知られている（特許文献１参照）。
【０００３】
かかる充填材は、平面視がほぼ正方形の板部と、この板部の四隅に設けられた連結部とを備えている。この充填材は、上下方向に積み重ねてその連結部により連結していくものである。
【特許文献１】特許第３６６０９１７号公報
【発明の開示】
【発明が解決しようとする課題】
【０００４】
このような充填材は、射出成形により成形しており、大きいものでは一辺が１ｍほどある。このため、大きな射出成型機の金型が必要であるという問題があった。さらに、充填材をストックしておくために大きなスペースも必要となるという問題もあった。
【０００５】
この発明の目的は、大きな射出成型機の金型を必要とせずに、しかもストックする場合にも大きなスペースを必要としない充填材と、この充填材を適所に充填した貯留施設を提供することにある。
【課題を解決するための手段】
【０００６】
請求項１の発明は、雨水等を貯留する貯留部内に積み重ねて充填する充填部材であって、
平面視が長尺状の板部と、この板部の両端に設けた連結部とを備え、該充填部材を井桁状に積み重ねて各連結部により連結することを特徴とする。
【０００７】
請求項２の発明は、前記板部の一側部に側方に突出した踏み板部を設けたことを特徴とする。
【０００８】
請求項３の発明は、前記踏み板部は、平面視がほぼ長方形に形成され、その両端に切欠が設けられていることを特徴とする。
【０００９】
請求項４の発明は、前記板部の一側部に円弧状の凹部を形成したことを特徴とする。
【００１０】
請求項５の発明は、雨水等を貯留するとともに底面に凹溝を形成した貯留部と、この貯留部内に充填材を充填する貯留施設であって、
雨水を貯留部内に導入する導入部から前記凹溝までの所定領域を集砂モジュールで構成し、この集砂モジュール外の領域を貯留モジュールで構成し、
前記集砂モジュールは、平面視がほぼ正方形且つ所定の方向に傾斜した板部と、この板部の四隅に設けられた連結部とを備えた充填部材を上下方向に積み重ねてその連結部により連結して構成し、
前記貯留モジュールは、請求項１または請求項４に記載の充填材を井桁状に積み重ねて構成したことを特徴とする。
【発明の効果】
【００１１】
請求項１ないし請求項４の発明によれば、大きな射出成型機の金型を必要とせずに充填材を成形することができ、しかも充填材をストックする場合にも大きなスペースを必要としない。
【００１２】
また、請求項５の発明によれば、流入してきた土砂を集砂モジュールにより貯留部の底部の凹溝に案内することができ、このため流入してきた土砂を貯留モジュールに侵入することを防止することとなり、維持管理が容易となる。また、貯留槽の中の充填材を、土圧を受ける機能を負担する貯留モジュールと、集砂機能を有する集塵モジュールを機能分離して充填することができるので、低コストの貯留槽を実現することができる。
【発明を実施するための最良の形態】
【００１３】
以下、この発明に係る充填材と、この充填材を充填した貯留施設との実施の形態である実施例を図面に基づいて説明する。
【実施例】
【００１４】
図１ないし図３は、この発明にかかる充填材を充填した貯留施設を概略的に示した概念図である。図１ないし図３において、１は大雨が降ったときに雨水を一時的に貯留し、河川流量が急激に増大するのを防止する貯留施設である。また、この貯留施設１は、貯留された雨水を植木への散水や洗車用水として利用したり、非常時の生活用水や防火用水として利用したりすることができるようにするものである。
【００１５】
貯留施設１は、底面の中央に短辺方向の全幅に亘って形成されたＵ字溝２を有する貯留部３と、この貯留部３内に充填材を充填して構成した集砂モジュール１０および貯留モジュール２０とを備えている。貯留部３の底面およびＵ字溝２の底面には図示しない防水シートが敷設されている。なお、この貯留部３は地面を例えば１ｍ〜１０ｍ掘り下げて形成したものであり、貯留部３の上部には貯留部３内に雨水等が流入する流入口（導入部）４が設けられている。
【００１６】
集砂モジュール１０は、貯留部３の上部の左端部から貯留部３の底部の中央のＵ字溝２まで斜めに形成されている。この集砂モジュール１０の貯留部３の短辺方向の長さは、貯留部３の短辺の長さと同一であり、その長辺方向の長さは所定の幅を有している。そして、集砂モジュール１０以外の部分は貯留モジュール２０となっている。
【００１７】
集砂モジュール１０を構成する充填部材１１は、図１７ないし図１９に示すように、平面視がほぼ正方形且つ所定の方向に傾斜した傾斜板部（板部）１２と、この傾斜板部１２の四隅に設けられた連結部１３とを備えている。傾斜板部１２の下面には複数の補強リブ１４が形成されている。
【００１８】
そして、この充填部材１１は、特許第３６６０９１７号公報に記載の充填部材と全く同一な構成なので、その構成とその積み重ね方やその作用の詳細な説明は省略する。
【００１９】
貯留モジュール２０を構成する充填部材２１は、図４および図５に示すように、平面視がほぼ長方形（長尺状）の板部２２と、この板部２２の両端に設けられた連結部２３とを備えている。板部２２の上面２２Ａには格子状に形成された補強リブ２４が設けられている。また、板部２２の下面２２Ｂには格子状に形成された補強リブ２５が設けられている。
【００２０】
連結部２３は、断面形状が三角形の筒状に形成され、図６および図７に示すように上面２２Ａ側に接合穴２３Ａを有している。そして、連結部２３の下部（図７において上部）にはその接合穴２３Ａに嵌入される突部２３Ｂが形成されている。
【００２１】
また、図６に示すように、補強リブ２４の高さは板部２２の上面２２Ａから連結２３の上端までの高さと同一であり、補強リブ２５の高さは板部２２の下面２２Ｂから連結部２３の下端までの高さと同一に設定されている。
【００２２】
そして、充填部材２１の長さＬ１は充填部材１１の一辺の長さと同一に設定され、その幅Ｗ１（図４参照）は充填部材１１の一辺の長さのほぼ１／４に設定されている。また、充填部材２１の厚さ、すなわち連結部２３の高さＨ１は充填部材１１の高さＨ２（図１８参照）の１／２に設定されている。そして、井桁に組んだ４つの充填部材２１の外形の大きさと１つの充填部材１の外形の大きさが同一となっている。
【００２３】
この充填部材２１は、図８および図９に示すように井桁に積み重ねていくとともに、充填部材２１の連結部２３の接合穴２３Ａに、この充填部材２１の上に重ねられる他の充填部材２１の突部２３Ｂを嵌入させて、充填部材２１を井桁に上下方向に連結していくものである。この井桁状に積み重ねた充填部材２１を縦横に複数配置することにより貯留モジュール２０（図１ないし図３参照）を構成するものである。
【００２４】
ところで、充填部材２１は、長さＬ１は充填部材１１の一辺の長さと同一に設定されているが、その幅Ｗ１は充填部材１１の一辺の長さの１／４（Ｌ１／４＝Ｗ１）に設定されているので、充填部材２１は充填部材１１のほぼ１／４の面積の大きさである。このため、充填部材２１を射出する射出成型機の金型を小さくすることができ、安価な充填部材２１を提供することができる。
【００２５】
また、充填部材２１の高さＨ１が充填部材１１の高さＨ２の１／２に設定されていることにより、充填部材２１は単純計算で充填部材１１の１／８の体積となる。そして、４つの充填部材２１で１つの井桁を組むものであるから、４つの充填部材２１が１つの充填部材１１に対応することになる。すなわち、４つの充填部材２１の体積は充填部材１１の１／２となる。
【００２６】
したがって、充填部材２１をストックしておくスペースを小さくすることができることになる。
【００２７】
図１０および図１１は、他の充填部材４１を示したものである。この充填部材４１は、板部２２の側方に踏み板部４２を設けたものである。この踏み板部４２の両側には切欠４３が設けられている。この切欠４３は仮想線の部分を切り欠いて形成したものであり、この切り欠いた部分の大きさはほぼ連結部２３の大きさと同一に設定されている。すなわち、板部２２と踏み板部４２は同一大きさの同一形状となっている。
【００２８】
そして、図９に示すように井桁に組んだ充填部材２１の所定の段数毎に、充填部材４１を図１２に示すように井桁に組んで重ねる。この場合も、充填部材２３の連結部２３の接合穴２３Ａに充填部材４１の連結部２３の突起２３Ｂを嵌入して充填部材２１と充填部材４１とを連結して井桁に組むものである。
【００２９】
このように、充填部材２１が井桁に組み込まれて所定の高さになる毎に、充填部材４１を組み込んで踏み板部４２が設けられるので、この踏み板部４２に乗って作業を行うことができることになり、貯留施設１の組み立て作業等を効率良く行うことができることになる。しかも、踏み板部４２も図１２に示すように井桁に組まれて重なるので頑丈なものとなる。
【００３０】
また、踏み板部４２に切欠４３を設けて、充填部材４１の板部２２と充填部材４１の踏み板部４２とを同一形状、同一大きさにしたものであるから、充填部材４１の板部２２と踏み板部４２とに他の充填部材４１の踏み板部と板部２２とを連結部２３に干渉することなく重ねることができる。このため、小さなスペースに充填部材４１をストックしておくことができる。
【００３１】
ところで、貯留施設１は、貯留部３内に集砂モジュール１０と貯留モジュール２０とを設けたので、集砂モジュール１０の充填部材１１の傾斜板部１２の向きが流入口４から流入してくる土砂がＵ字溝２に向かって流れるように充填部材１１を配置すれば、貯留モジュール２０に侵入する土砂を低減することができ、集砂モジュール１０と貯留モジュール２０の機能を分離することができ、高機能で経済的な貯留施設１を提供することができる。
【００３２】
また、１つの充填部材１１の外形と、井桁に組んだ４つの充填部材２１の外形の大きさが同一となっているので、充填部材１１を任意の位置に配置することができる。このため、流入口４の位置やＵ字溝２の位置に関わりなく集砂モジュール１０を設けることができ、貯留部３の設計の自由度を高めることが可能となる。
［第２実施例］
図１３ないし図１５は第２実施例の充填部材５１を示す。この充填部材５１は、板部５２の側部に円弧状の凹部５４を形成したものである。板部５２の上面５２Ａは平坦状に形成され、板部５２の下面５２Ｂのみに補強リブ５３が設けられている。
【００３３】
この充填部材５１を図１６に示すように井桁に組むことにより、円形の穴５６が形成される。
【００３４】
そして、図２に示す貯留モジュール２０の一部に、充填部材５１で井桁に組んで積み重ねることにより、上下方向に延びた穴５６が形成され、この穴５６に上下方向に延びたマンホールなどを設けることができることになる。
【図面の簡単な説明】
【００３５】
【図１】この発明に係る貯留施設を概念的に示した平面図である。
【図２】図１に示す貯留施設を概念的に示した側面図である。
【図３】貯留部に充填した充填部材の配置を示した説明図である。
【図４】２つ並べた充填部材を示した平面図である。
【図５】図４に示す充填部材の下面を示した説明図である。
【図６】図４に示す充填部材の側面図である。
【図７】図５に示す充填部材の側面図である。
【図８】図４に示す充填部材を井桁に組んだ状態を示した平面図である。
【図９】図４に示す充填部材を井桁に組んで積み上げた状態を示した側面図である。
【図１０】他の例の充填部材を示した平面図である。
【図１１】図１０に示す充填部材の側面図である。
【図１２】図１０に示す充填部材を井桁に組んだ状態を示した平面図である。
【図１３】第２実施例の充填部材を示した平面図である。
【図１４】図１３に示す充填部材の下面を示した説明図である。
【図１５】図１４に示す充填部材を示した側面図である。
【図１６】第２実施例の充填部材を井桁に組んだ状態を示した平面図である。
【図１７】集砂モジュールを構成する充填材を示した斜視図である。
【図１８】図１７に示す充填材の中央部の断面図である。
【図１９】図１７に示す充填材の端部近傍の断面図である。
【符号の説明】
【００３６】
１        貯留施設
２        Ｕ字溝
３        貯留部
１０      集砂モジュール
２０      貯留モジュール
２１      充填部材
２２      板部
２３      連結部
２３Ａ    接合穴
２３Ｂ    突部
【図１】
2007262678.tif 000003
【図２】
2007262678.tif 000004
【図３】
2007262678.tif 000005
【図４】
2007262678.tif 000006
【図５】
2007262678.tif 000007
【図６】
2007262678.tif 000008
【図７】
2007262678.tif 000009
【図８】
2007262678.tif 000010
【図９】
2007262678.tif 000011
【図１０】
2007262678.tif 000012
【図１１】
2007262678.tif 000013
【図１２】
2007262678.tif 000014
【図１３】
2007262678.tif 000015
【図１４】
2007262678.tif 000016
【図１５】
2007262678.tif 000017
【図１６】
2007262678.tif 000018
【図１７】
2007262678.tif 000019
【図１８】
2007262678.tif 000020
【図１９】
2007262678.tif 000021